(57)【要約】【課題】  爪の如く平面上に突出した湾曲面と対応し、更に上下方向に湾曲した曲面を切断するために三次元曲面に対する切断刃を容易に且つ廉価に提供する。【解決手段】  一方の刃体４を中央方向に凹ませて湾曲形成させると共に、中央中高に突出形成させる。その刃体４の先端４３を側面図上直線状に形成させる。即ち刃体４の先端を三次元曲線として形成させる。他方の刃体５を平面上に湾曲状に凹ませて形成してその先端５３を前記刃体４の先端に合接するように設ける。即ち刃体５を二次元曲線として形成させる。この三次元曲線と二次元曲線として構成させた刃体４と刃体５の先端を合接させて爪等を切断する。【選択図】  図１
2005074135.tif 000002
【特許請求の範囲】
【請求項１】
二つの刃体が合接して目的物を切断する切断刃に於いて、一方の刃体を平面上湾曲状に形成すると共に、中央中高に湾曲突出形成させる一方、他方の刃体を平面に前記一方の刃体の湾曲状に合せて切欠湾曲形成したことを特徴とする爪切等の切断刃。
【発明の詳細な説明】
【技術分野】
【０００１】
本発明は、爪切等の切断刃に関するものである。
【背景技術】
【０００２】
従来爪切等の切断刃は、つめの先端の湾曲状に合せて湾曲状に形成させてあるが、これは平面上に形成されてあり、上下の切断刃の先端部は一直線に形成され、合接され、切断時にも一直線上の合接となる構成である。
このため、爪の切断の際には、上下方向に湾曲している爪に対して、この湾曲面を上下から押しつぶして平面上にして切断する形になり、爪に歪みが加えられ、指との間に不快な引張力が加えられ、時には痛さを与えることになった。
この事態を改善するために、爪の先端に対応した湾曲に加えて、爪の上下面に対応して上下の切断刃を上下方向に湾曲した形を有する爪切が提案されている。（例えば、特許文献１〜５参照。）。
【０００３】
【特許文献１】実開昭５７−１２１０６号公報
【特許文献２】実開平１−１４５３０６号公報
【特許文献３】実開平４−８３１０５号公報
【特許文献４】特開平５−３２９０２２号公報
【特許文献５】特開平１０−２７６８３３号公報
【発明の開示】
【発明が解決しようとする課題】
【０００４】
これらの提案されている切断刃は、指につく爪の先端の突出状湾曲に対応して、上下の刃が平面上湾曲形成されると共に、爪の曲面に従って、上下刃が夫々上下方向に一方が湾曲突状に他方が湾曲凹状に三次曲面に形成されて、それが合接する形状に形成されなければならない。
しかも、この三次曲面の接当する先端部は、鋭利に形成する必要があるため、三次曲面を合せるだけでも困難であるのに、鋭利部の合接の必要があり、その製造は極めて困難である。
従って、その製造は経験と試行錯誤によるしかなく、コスト的にも廉価に出来ない難点がある。
【課題を解決するための手段】
【０００５】
そこで本発明に於いては、極めて容易に製造できる平面と三次曲面を組合わせることにより、製造簡単で廉価に提供できる爪切等の切断刃を提供せんとするもので、二つの刃体が合接して目的物を切断する切断刃に於いて、一方の刃体を平面上湾曲状に形成すると共に、中央中高に湾曲突出形成させる一方、他方の刃体を平面に前記一方の刃体の湾曲状に合せて切欠湾曲形成したことを特徴とする。
【発明の効果】
【０００６】
本発明によれば、二つの刃体が合接して目的物を切断する切断刃に於いて、一方の刃体を湾曲状に切欠き形成すると共に、中央中高に湾曲突出形成させる一方、他方の刃体を平面に前記刃体の湾曲状に合せて湾曲形成したので、刃体の一方は三次元曲面が容易且つ確実に形成され、それに合せる他方の刃体は平板状に湾曲した二次元曲線で形成され、その製造は極めて容易であり、且つその合接時の刃体の先端部の合接も確実にならしめるように切断乃至研磨が容易に行われる。
従って、湾曲状の三次元曲面の物体、例えば爪を三次元的にカットできることにより、爪等への負担をなくし、自然に歪みなく切断することが出来る。
この三次元曲面に対応できる切断刃を容易且つ廉価に提供できる効果がある。
【発明を実施するための最良の形態】
【０００７】
以下、図に示す一実施例により本発明を詳細に説明する。
爪切り１は、二枚の金属製の板体２，３を末端にて固定１１し、他端は適宜間隔をあけて、板体２，３の弾性を利用して開けた間隔を閉じ、又元に戻るように構成してある。板体２，３の一端には夫々対向して刃体４，５を設置してある。
一方の刃体４は、爪の先端の曲面に対応した板体２方向に凹んだ湾曲４１に形成し、且つ板体２の水平方向に対し、両端を低く中央に中高状に湾曲４２に形成させて構成してある。又、刃体４の先端４３は側面図上直線状に位置する如く形成される。従って、この刃体４は三次元曲線状に形成されている。この湾曲４１、湾曲４２は、人により夫々異なるので、その人個人に合せて作るのがよいが、汎用品としては平均値に基づき緩い湾曲状に形成するのがよい。
【０００８】
他方の刃体５は、平面板５１上に板体３方向に湾曲５２して形成し、且つ刃体５の先端５３は、刃体４の先端４３と合接するように構成してある。
この構成は、刃体４の三次元曲線として構成された先端４３と、刃体５に平面的に、二次曲線として構成された先端５３が、刃体４，５を閉じて接するときに完全に合接することを可能にするものである。
【０００９】
尚、この刃体５の平面板５１は、板体３の先端に、板体３の水平方向に対し、直角乃至適宜の角度を以って形成させてある。しかし、その長さは湾曲５２が形成させる部分があればよく、必ずしも長さを必要としない。
更に、平面板５１は、必ずしも平板である必要はなく、前方に向かって薄く形成したり、その逆にしたりしてもよい。この平面板５１は、刃体５の先端５３が平面状に形成されてあればよく、他の部分の形状は問わない。又、刃体５は、湾曲５２状に構成した先端を別途構成し、板体３の先端に取付ける構成も出来る。この際、刃体５或いは先端５３をセラミック、その他硬質材にて形成したり付着させたりすることは選択できる。
刃体４についても、刃体５の上記構成を採用することは自由である。
【００１０】
その他、通常のレバー式爪切と同様に、板体２，３の先端に近くロッド６を挿通し、一端を板体２に固定乃至位置決めし、上端を板体３上に張出させ、ピン７により回動自在にレバー８を枢着してある。レバー８には突起９を設けピン７により反転させる際、梃子としてレバー８により板体３を弾圧させる構造である。１０は必要によりレバー８に設けるヤスリである。
又、本発明の切断刃はレバー式爪切ではなく、ニッパー式として、柄部を交叉させた枢支軸にて先端を回動自在とした型に於いても使用しうることは勿論である。
更に、爪切としてではなく、他の切断刃、例えば果梗切り、その他湾曲状のものの切断刃としても利用できるものである。
【００１１】
図５，６に基づき、他実施例要部について説明する。
刃体４は、板体２に近い下部を厚く、上方、即ち先端４３部方向に薄く形成し、且つ上部を板体２より外方に倒して形成させてある。
そして、刃体４と刃体５を合せた状態にて、その合接部を切断或いは研磨により切除する。この際、図６に於いて、両先端部に於いてＸ１の線にて切断或いは研磨され、中央部に於いてはＸ２の線にて切断或いは研磨され、両刃体４，５の夫々の先端４３，５３が鋭利に形成され、且つ両端４３，５３が完全に合接される。
【図面の簡単な説明】
【００１２】
【図１】本発明一実施例レバー開放状態側面図
【図２】同上レバー作動状態側面図
【図３】同上一要部拡大斜面図
【図４】同上他要部拡大斜面図
【図５】他実施例要部正面拡大図
【図６】同上要部側面拡大図
【符号の説明】
【００１３】
１  爪切
２  板体
３  板体
４  刃体
５  刃体
６  ロッド
７  ピン
８  レバー
９  突起
１０  ヤスリ
【図１】
2005074135.tif 000003
【図２】
2005074135.tif 000004
【図３】
2005074135.tif 000005
【図４】
2005074135.tif 000006
【図５】
2005074135.tif 000007
【図６】
2005074135.tif 000008